(57)【特許請求の範囲】
【請求項１】
上方にオーバフロー部を有するタンク１と、該タンクの下方からタンク内にサンプルを流入させる流路を開閉する開閉弁と、前記タンク内に配置された所定の容積を有する金網フィルタ１０と、該フィルタでろ過した前記サンプルを分析計７に導出する導出パイプ１１と、該導出パイプと分析計の途中に設けられた３方弁ＳＶ３と、前記タンク内に下方から浄水を流入させる流路を開閉する開閉弁ＳＶ１と、前記金網フィルタ内に前記３方弁を介して前記浄水を流入させる流路を開閉する開閉弁ＳＶ２と、前記金網フィルタ内に前記３方弁ＳＶ３および開閉弁ＳＶ４を介して気体を導入するエアポンプ１２を備え、バブリングに際しては、前記電磁弁ＳＶ１およびＳＶ４を開として３方弁ＳＶ３の経路を切換え、パイプ１１を介して金網フィルタ１０の内部にエアをバブリングして付着した塵や微生物を金網から剥離させ、その後前記ＳＶ１，ＳＶ４を閉として、前記ＳＶ２を開とし前記パイプ１１ａ内に浄水を充満させるように構成したことを特徴とするろ過装置。
【請求項２】
フィルタの材質は筒状に形成された銅合金，又はステンレス鋼であって、両端が平板に固定されていることを特徴とする請求項１記載のろ過装置。
【請求項３】
フィルタは平板を介して導出パイプに固定され、導出パイプから取り付け取り外し自在とされていることを特徴とする請求項１記載のろ過装置。
【請求項４】
フィルタはメッシュ２５０程度であることを特徴とする請求項１記載のろ過装置。
【発明の詳細な説明】
【０００１】
【発明の属する技術分野】
本発明は下水処理場などで使用される全窒素・全リン計などの分析計の前処理工程に用いて好適なろ過装置に関するものである。
【０００２】
【従来の技術】
従来この種のろ過装置としては図３に示す構成のものが知られている。図３において、１は例えば内径７０ｍｍ、長さ２５０ｍｍ程度のタンクであり、このタンクには所定量（例えば１リットル程度）の水道砂（直径１ｍｍ程度）２が入れられている。３はタンクの上方に設けられたオーバフロー口である。
【０００３】
＃１，＃２はサンプル液の開閉弁であり、例えば処理前の液体と処理後の液体の何れかをタンク１内に流入する。Ｆ１はタンクの下方と３方弁ＳＶ３の途中に設けられたフィルタであり、ＳＶ３の一方はポンプ６を介して分析計（例えば全窒素・全リン計）７と接続されている。
【０００４】
４は浄水の減圧弁、ＳＶ１，ＳＶ２は電磁弁でこれらの電磁弁の一方は減圧弁４に接続され、ＳＶ１の他方はタンクの下方に接続され、ＳＶ２の他方はフィルタＦ２を介して３方弁ＳＶ３の一方の接続口に接続されている。
【０００５】
このような構成において、初期状態では電磁弁ＳＶ１，ＳＶ２は閉とされ、3方弁ＳＶ３はフィルタＦ１側からポンプ６への経路が開とされている。そして、サンプル開閉弁＃１，＃２の何れかを通過したサンプル液はタンク１の上方から流入し砂２でろ過されて、フィルタＦ１→３方弁ＳＶ３→ポンプ６→分析計７側に流れる。
【０００６】
また、このような構成では、サンプル液に含まれる塵や微生物により砂２がドロドロになりフィルタＦ１にも目詰まりが生じる。
その様な場合は電磁弁ＳＶ１を開にして浄水をタンク１の下方から流入させてバブリングし、砂２から剥離した塵や微生物を含む汚染水をオーバフロー口から溢れさせ、その後、若しくは同時に電磁弁ＳＶ２を開とし３方弁ＳＶ３をフィルタＦ１側に切換えて浄水をタンク１の下方から流入するようにしてフィルタＦ１を逆洗する。
【０００７】
【発明が解決しようとする課題】
ところで、このような構成のろ過装置においてはフィルタＦ１として０．１μｍ程度の中空糸膜フィルタを使っているため、フィルタの目詰まりが生じ、また、水道砂２に塵や微生物などが付着し半練り状態になりバブリングによる剥離が難しくなりろ過効果が低下するという問題があった。さらに、水道砂２の交換には手間がかかるという問題があった。
【０００８】
本発明は上記課題を解決するためになされたもので、サンプル液処理部のメンテナンス周期を長くしたろ過装置を提供することを目的としている。
【０００９】
このような課題を達成するために、請求項１においては、
上方にオーバフロー部を有するタンク１と、該タンクの下方からタンク内にサンプルを流入させる流路を開閉する開閉弁と、前記タンク内に配置された所定の容積を有する金網フィルタ１０と、該フィルタでろ過した前記サンプルを分析計７に導出する導出パイプ１１と、該導出パイプと分析計の途中に設けられた３方弁ＳＶ３と、前記タンク内に下方から浄水を流入させる流路を開閉する開閉弁ＳＶ１と、前記金網フィルタ内に前記３方弁を介して前記浄水を流入させる流路を開閉する開閉弁ＳＶ２と、前記金網フィルタ内に前記３方弁ＳＶ３および開閉弁ＳＶ４を介して気体を導入するエアポンプ１２を備え、バブリングに際しては、前記電磁弁ＳＶ１およびＳＶ４を開として３方弁ＳＶ３の経路を切換え、パイプ１１を介して金網フィルタ１０の内部にエアをバブリングして付着した塵や微生物を金網から剥離させ、その後前記ＳＶ１，ＳＶ４を閉として、前記ＳＶ２を開とし前記パイプ１１ａ内に浄水を充満させるように構成したことを特徴としている。
【００１０】
請求項２においては、請求項１記載のろ過装置において、
フィルタの材質は筒状に形成された銅合金，又はステンレス鋼であって、両端が平板に固定されていることを特徴とする。
請求項３においては、請求項１記載のろ過装置において、
フィルタは平板を介して導出パイプに固定され、導出パイプから取り付け取り外し自在とされていることを特徴とする。
【００１１】
請求項４においては、請求項１記載のろ過装置において、
フィルタはメッシュ２５０程度であることを特徴とする。
【００１２】
【発明の実施の形態】
以下、図面を用いて本発明を詳細に説明する。
図１は本発明のろ過装置の構成を示す図である。なお、図３に示す従来例と同一要素には同一符号を付して重複する説明は省略する。
【００１３】
図において、１０はメッシュ２５０μｍ程度の金網からなるフィルタであり、タンク１の上方から挿入されたパイプ１１の一端に固定されている。このパイプ１１の他端は３方弁ＳＶ３の一方の接続口に接続されている。
【００１４】
図２は金網フィルタ１０の詳細図であり、このフィルタは両端に直径３０ｍｍ厚さ１ｍｍ程度の円盤状の平板１０ａ，１０ｂを有しこの平板の外周に長さ（Ｌ）５０ｍｍ程度の金網１０ｅを巻回して形成されている。
【００１５】
上方の平板１０ａにはパイプ１１の一端をねじ込むためのねじ孔１０ｃが形成されている。このような金網フィルタ１０はパイプ１１に対して容易に着脱が可能である。なお、平板の材質としてはステンレス鋼、金網の材質としては銅合金やステンレス鋼を用いている。１２はエアポンプで、電磁弁ＳＶ４を介して３方弁ＳＶ３の一方の接続口に接続されている。
【００１６】
図１に戻り、初期状態ではＳＶ１，ＳＶ２，ＳＶ４は閉とされ、３方弁ＳＶ３は金網フィルタ１０側からパイプ１１を通ってポンプ６への経路が開とされている。そして、開閉弁＃１，＃２の何れかを通過したサンプル液はタンク１の下方から流入し、金網フィルタ１０でろ過されて分析計７側に流れている。
【００１７】
このような構成では、サンプル液体に含まれる塵や微生物は金網フィルタ１０の外周に付着し従来同様目詰まりが生じる。その様な場合は電磁弁ＳＶ４を開として３方弁ＳＶ３の経路を切換え、パイプ１１を介して金網フィルタ１０の内部にエアをバブリングして付着した塵や微生物を金網から剥離させる。
【００１８】
その場合、本発明では図２に示すように所定の容積を有し、また、メッシュ２５０μｍ程度の銅合金やステンレス鋼の金網フィルタ１０を用いているので目詰まりの進行度合いは緩やかなものとなる。
【００１９】
その後、若しくはバブリング中に電磁弁ＳＶ１を開としてタンク１の下方から浄水を流入させて金網フィルタ１０から剥離した塵や微生物をオーバフロー口３から溢れさせて汚染水をタンク内から除去する。
次にＳＶ１，ＳＶ４を閉として、ＳＶ２を開としパイプ１１ａ内に浄水を充満させる。
【００２０】
上記の構成によれば、金網フィルタ１０として微生物に対して毒性を有する銅合金を用いれば微生物が付着し難く、ステンレス鋼の場合は錆難いという効果がある。また、メッシュ２５０μｍ程度の網目は下水の分析に対して支障をきたさない程度で長時間塵の詰まりを防止可能であり、エアのバブリングによる剥離が効果的である。また、金網フィルタ１０を着脱自在として所定周期毎に手洗いにより詰まりを除去することも可能である。
【００２１】
本発明の以上の説明は、説明および例示を目的として特定の好適な実施例を示したに過ぎない。したがって本発明はその本質から逸脱せずに多くの変更、変形をなし得ることは当業者に明らかである。特許請求の範囲の欄の記載により定義される本発明の範囲は、その範囲内の変更、変形を包含するものとする。
【００２２】
【発明の効果】
以上述べたように、本発明によれば、上方にオーバフロー部を有するタンク１と、該タンクの下方からタンク内にサンプルを流入させる流路を開閉する開閉弁と、前記タンク内に配置された所定の容積を有する金網フィルタ１０と、該フィルタでろ過した前記サンプルを分析計７に導出する導出パイプ１１と、該導出パイプと分析計の途中に設けられた３方弁ＳＶ３と、前記タンク内に下方から浄水を流入させる流路を開閉する開閉弁ＳＶ１と、前記金網フィルタ内に前記３方弁を介して前記浄水を流入させる流路を開閉する開閉弁ＳＶ２と、前記金網フィルタ内に前記３方弁ＳＶ３および開閉弁ＳＶ４を介して気体を導入するエアポンプ１２を備え、前記電磁弁ＳＶ４を開として３方弁ＳＶ３の経路を切換え、パイプ１１を介して金網フィルタ１０の内部にエアをバブリングして付着した塵や微生物を金網から剥離させ、その後ＳＶ１，ＳＶ４を閉として、ＳＶ２を開としパイプ１１ａ内に浄水を充満させるように構成したので、サンプル液処理部のメンテナンス周期を長くすることができる。
【００２３】
また、フィルタをメッシュ２５０程度の銅合金又はステンレス鋼の金網とし、所定の容積を有するように形成し、平板を介して導出パイプから取り付け取り外し自在としたので、銅合金の場合、金網自体が微生物に対して毒性を有することとなり、微生物が付着し難く、ステンレス鋼の場合は錆難いという効果がある。
【００２４】
また、メッシュ２５０μｍ程度の網目は下水の分析に対して支障をきたさない程度で長時間塵の詰まりを防止可能でありエアのバブリングによる剥離が効果的である。
その結果、サンプル液処理部のメンテナンス周期を長くした濾過装置を実現することができる。更に、金網フィルタ１０を着脱自在としたので、所定周期毎に手洗いにより詰まりを除去することも可能である。
【００２５】
【図面の簡単な説明】
【図１】本発明の濾過装置の実施形態の一例を示す構成図である。
【図２】フィルタの実施形態の一例を示す構成図である。
【図３】従来の濾過装置の一例を示す構成図である。
【符号の説明】
１      タンク
３      オーバフロー口
４      減圧弁
６，１２      ポンプ
７      分析計
１０    金網フィルタ
１１    パイプ
Ｆ２    フィルタ
＃１，＃２    開閉弁
ＳＶ１，ＳＶ２，ＳＶ４  電磁弁
ＳＶ３    ３方弁
【図１】
0004438166.tif 000002
【図２】
0004438166.tif 000003
【図３】
0004438166.tif 000004